(57)【要約】【課題】ファイリングされたシート類と一緒に廃棄することが可能であると共に、湿度や温度にも強く、ファイリング及び取り外しが容易なファイリング用具を提供する。【解決手段】シート類２の端部に設けられた複数の貫通孔２ａに挿入し、シート類２を複数枚綴じるためのファイリング用具１において、生分解性プラスチックを主成分とした線材を、スパイラル状に成型したことを特徴とする。また、前記線材は、断面形状が円形であることを特徴とする。【選択図】  図１
2006007667.tif 000002
【特許請求の範囲】
【請求項１】
シート類の端部に設けられた複数の貫通孔に挿入し、前記シート類を複数枚綴じるためのファイリング用具において、
生分解性プラスチックを主成分とした線材を、スパイラル状に成型した
ことを特徴とするファイリング用具。
【請求項２】
前記線材は、断面形状が円形であることを特徴とする請求項１に記載のファイリング用具。
【発明の詳細な説明】
【技術分野】
【０００１】
本発明は、シート類を複数枚綴じるためのファイリング用具に関する。
【背景技術】
【０００２】
従来より、シート類の端部に設けられた複数の貫通孔（綴じ孔）に挿入し、前記シート類を複数枚綴じるためのファイリング用具が知られている。そして、このようなファイリング用具の一種として、線材をスパイラル状に形成したものが知られている。
【０００３】
かかるスパイラル状のファイリング用具は、線材の一端をシート類の複数の貫通孔に挿入することで簡単に複数枚のシート類を綴じることができる。
【発明の開示】
【発明が解決しようとする課題】
【０００４】
ところで、スパイラル状のファイリング用具は、所定の強度が必要とされるので、従来において、その線材の材料を金属材やポリスチレン系プラスチック材で形成していた。
【０００５】
金属材やポリスチレン系プラスチック材を材料として形成されたものをファイリング用具とすると、シート類を廃棄する場合に、シート類とファイリング用具とを分別して廃棄しなければならず、シート類からファイリング用具を取り外す作業が非常に面倒であった。また、ポリスチレン系プラスチック材の製品は、焼却処理に際して非常な高温が発生して焼却炉を痛めたり、ダイオキシン類のような環境汚染物質を発生するという問題があった。さらに、金属材やポリスチレン系プラスチック材の製品を埋め立て処分した場合、金属やポリスチレン系プラスチックが自然環境の中でほとんど分解されず、近年廃棄物の量が増大しているため、埋め立て場所の確保も年々困難となりつつある。
【０００６】
そこで、ファイリング用具の材質として、焼却処理が容易な紙、あるいはパルプ材を使用する製品が提案されている。しかし、紙・パルプ材は、湿度や温度に対し変形しやすく、強度を保持する困難性があり、また、スパイラル状に成型する成型上の困難性がある。そこで、紙・パルプ材の材料で実施する際には、強度上の問題と成型上の問題とを踏まえ、ファイリング用具３は、図３に示すように、線材の断面形状を方形（例えば、長方形）に成型した物を使用していた。
【０００７】
しかし、線材の断面形状が方形であると、シート類の綴じ孔に線材を挿入する際に、あるいは取り外す際に、方形の角部が楔状となって綴じ孔と引っかかり、かかる摩擦力によりファイリング用具の出し入れがしにくくなる、という問題があった。また、紙・パルプ材は、焼却処理に際して、ダイオキシン類のような環境汚染物質を発生するという問題もあった。
【０００８】
以上から、本発明は、前記課題に鑑みてなされたものであり、ファイリングされたシート類と一緒に廃棄することが可能であると共に、湿度や温度にも強く、ファイリング及び取り外しが容易なファイリング用具を提供することを技術的課題とする。
【課題を解決するための手段】
【０００９】
本発明はファイリング用具であり、前述の技術的課題を解決するために以下のように構成されている。
すなわち、本発明は、シート類の端部に設けられた複数の貫通孔に挿入し、前記シート類を複数枚綴じるためのファイリング用具において、
生分解性プラスチックを主成分とした線材を、スパイラル状に成型した
ことを特徴とするファイリング用具とした。
【００１０】
また、本発明のファイリング用具において、前記線材は、断面形状が円形であることを特徴とするファイリング用具とした。
【００１１】
なお、生分解性プラスチックは、デンプンまたはその誘導体を主成分とし、これら成型用原料を発泡させてなるものである。発泡させる方法としては、特に限定されるものではないが、具体的には水蒸気発泡により成型されることがより好ましい。
【００１２】
成型用原料の主原料として用いられるデンプンとしては、例えば、馬鈴薯、トウモロコシ（コーン）、タピオカ、米、小麦、さつまいもなど、主要穀物として世界的に生産されている農産物から容易に得られるデンプンを好適に用いることができる。上記デンプンは、特定の農産物から製造されたものであってもよいし、複数の農産物から製造されたものを混合してもよい。
【発明の効果】
【００１３】
本発明によれば、生分解性プラスチックを主成分とした線材でファイリング用具を形成したことで、廃棄する場合、焼却処分が容易である上に、自然環境の中でも容易に分解される。また、生分解性プラスチックを主成分とした線材は、成型が紙・パルプ材よりも容易であり、湿度や温度にも強く、製品としての強度も有している。
【００１４】
また、断面形状を円形にすることで、方形に成型した紙・パルプ材などに比して成型性が良く、直径１．８ｍｍ〜３ｍｍ程度の成型が可能であり、線材をシート類の綴じ孔に挿入する場合あるいは取り外す場合、綴じ孔との摩擦は最小に抑えることができ、ファイリング用具の出し入れが容易となる。なお、円形には、真円のほか楕円も含まれる。
【００１５】
従って、本発明は、ファイリングされたシート類と一緒に廃棄することが可能であると共に、ファイリング及び取り外しが容易なファイリング用具を提供することができる。
【発明を実施するための最良の形態】
【００１６】
以下、本発明に係るファイリング用具の最良の実施の形態について、図面を参照して詳細に説明する。
シート類２には、図１に示すように、複数の貫通孔（綴じ孔）２ａがそれぞれその端部側に一列に孔明けされている。そして、本発明に係るファイリング用具１は、複数枚のシート類２を貫通孔２ａを使用して綴じるものである。
【００１７】
このファイリング用具１は、図２に示すように、生分解性プラスチックを主成分とした直径２ｍｍ程度の線材を、スパイラル状に形成したものである。また、ファイリング用具１は、線材の断面形状が円形に成型されている。そして、ファイリング用具１は、線材の一端をシート類２の複数の貫通孔２ａに挿入することで複数枚のシート類２を綴じるものである。
【００１８】
生分解性プラスチックは、デンプンまたはその誘導体を主成分とし、これら成型用原料を発泡させて所定の形状に成型するものである。発泡させる方法としては、特に限定されるものではないが、具体的には水蒸気発泡により成型するものとする。この生分解性プラスチックは、公知のプラスチック成型技術を用いて成型加工が可能である。
【００１９】
また、成型用原料の主原料として用いられるデンプンとしては、この実施の形態においては、トウモロコシ（コーン）をペレット状にしたものを用いる。トウモロコシ（コーン
）を原料とした生分解性プラスチックは、直径１．８ｍｍ〜３ｍｍ程度の線材でファイリング用具を成型することが可能である。
【００２０】
なお、本発明において、成型用原料はトウモロコシ（コーン）に限定されるものではなく、例えば、馬鈴薯、タピオカ、米、小麦、さつまいもなど、主要穀物として世界的に生産されている農産物から容易に得られるデンプンであってもよい。そして、このデンプンは、特定の農産物から製造されたものであってもよいし、複数の農産物から製造されたものを混合してもよい。
【００２１】
この実施の形態によれば、生分解性プラスチックを主成分とした線材でファイリング用具１を形成したことで、廃棄する場合、焼却処分が容易である上に、自然環境の中でも容易に分解される。また、生分解性プラスチックを主成分とした線材は、成型が紙・パルプ材よりも容易であり、湿度や温度にも強く、製品としての強度も有している。
【００２２】
また、線材の断面形状を円形にすることで、線材をシート類の綴じ孔２ａに挿入する場合、あるいは取り外す場合、綴じ孔２ａとの摩擦は最小に抑えることができ、ファイリング用具１の出し入れが容易となる。なお、円形には、真円のほか楕円（長円）も含まれる。
【図面の簡単な説明】
【００２３】
【図１】本発明のファイリング用具を用いてシート類を綴じた状態の斜視図である。
【図２】本発明のファイリング用具の外形図である。
【図３】従来のファイリング用具の外形図である。
【符号の説明】
【００２４】
１    ファイリング用具
２    シート類
２ａ  綴じ孔（貫通孔）
３    従来のファイリング用具
【図１】
2006007667.tif 000003
【図２】
2006007667.tif 000004
【図３】
2006007667.tif 000005